(57)【要約】【課題】燃料がフィルタエレメント内のろ液部から漏れて無ろ過の燃料とまざらないように伸長したグロメットを使用して、封止状態を確立する流体フィルタアセンブリを提供する。【解決手段】流体フィルタアセンブリ（１２）は、フィルタハウジング（２４）と、フィルタエレメント（２０）と、ろ液部（６０）からフィルタエレメント（２０）に液体流体を排出するフィルタハウジングに結合する流出導管（３０）と、を有する。伸長したグロメット（１０）は、フィルタエレメント（２０）の外側表面（６５）とフィルタハウジング（２４）の内側表面（７４）に装着される。
2005518923.tif 000002
【特許請求の範囲】
【請求項１】
フィルタ室を含むように形成されるフィルタハウジングと、
フィルタ室に配置され、ハウジングに接合される流入導管を通ってフィルタ室に受け入れられる流体と接触するようにフィルタ室に配置される外側部分を含み、外側部分からフィルタエレメントを通って内側部分に入ってきたフィルタエレメントの流体を受け取るようにフィルタエレメントに配置されるろ液部を画成する内側部分を含むように形成されたフィルタエレメントと、
ハウジングに結合され、フィルタエレメントのろ液部から第１の導出先であるフィルタハウジングの外にろ液部を導出するように配置される第１の流出導管と、
流入端部とこれと反対側にある流出端部とを有し、ろ液部に流入端部が配置されて、フィルタハウジングの外に流出端部が配置されるように、フィルタハウジングに形成される開口部を通って伸びるように配置される第２の流出導管と、
第２の流出導管の中央部分を含んでいる通路を含むように形成され、伸長グロメットの内端部がフィルタエレメントと封止結合し、伸長グロメットの外端部がフィルタハウジングの内側表面と封止結合するようにフィルタエレメントとフィルタハウジングとの間の空間であるフィルタ室に配置される伸長したグロメットと、
を備える流体フィルタアセンブリ。
【請求項２】
前記フィルタエレメントは、内側部分と外側部分とを画成するフィルタ媒体と、フィルタ媒体の一端と結合する端部キャップとを備え、
端部キャップはフィルタエレメントのろ液部に開口部を備える導管受入開口部と定義するように形成される内隅部を含み、
第２の流出導管はフィルタエレメントのろ液部の第２の流出導管の流入端部に配置される端部キャップに形成される導管受入開口部を通り、
伸長したグロメットの内端部は、端部キャップの内隅部と第２の流出導管との間に存在する隙間をふさぐために端部キャップと結合する、
請求項１に記載のアセンブリ。
【請求項３】
伸長したグロメットは一体構造の部品であり、端部キャップと結合するように配置される大直径基部と小直径上部とを有する第１の切頭円錐体と、フィルタハウジングの内側表面と結合するように配置される大直径基部と第１の切頭円錐体の小直径上部の後ろに付く小直径基部とを有し、伸長したグロメットにくびれ部を形成してそのグロメットを砂時計の形にしている第２の切頭円錐体と、
を備える請求項２に記載のアセンブリ。
【請求項４】
伸長したグロメットは所定の長さを有し、各大直径基部の直径は、伸長されたグロメットの所定の長さとほぼ同様である請求項３に記載のアセンブリ。
【請求項５】
第１の切頭円錐体および第２の切頭円錐体のそれぞれの小直径上部は、第１切頭円錐体の大直径基部の直径の約６０％の直径を有する請求項３に記載のアセンブリ。
【請求項６】
伸長したグロメットに形成される通路は、第１の切頭円錐体の大直径基部の直径の約半分の内部直径を有する請求項３に記載のアセンブリ。
【請求項７】
伸長したグロメットは円筒形である請求項２に記載のアセンブリ。
【請求項８】
フィルタハウジングは、カップと内部導管支持帽とを有し、
前記カップは、フィルタエレメントを囲むように配置される側壁と流入導管と結合して導管受入開口部を含むように形成される上壁とを含み、
前記内部導管支持帽は、上壁と伸長グロメットとの間のフィルタ室に位置づけられ、導管受入開口部を含むように形成される。また第２の流出導管は、上壁と内部導管支持帽に形成される導管受入開口部を通って、フィルタエレメントのろ液部内に直列に伸びている請求項１に記載のアセンブリ。
【請求項９】
フィルタエレメントは、内側部分と外側部分とを画成するフィルタ媒体と、フィルタ媒体の一端と結合する端部キャップとを備え、
端部キャップは、フィルタエレメントのろ液部に開口部を備える導管受入開口部を含むように形成される内隅部を含み、
第２の流出導管は、フィルタエレメントのろ液部に第２の流出導管の流入端部を配置するように端部キャップに形成される導管受入開口部を通り、
伸長したグロメットの内端部は、端部キャップの内隅部と第２の流出導管との間にある隙間をふさぐように端部キャップと結合している、
請求項８に記載のアセンブリ。
【請求項１０】
伸長したグロメットの内端部は、所定の直径を有し、さらに伸長したグロメットは、内端部と外端部との間に位置するように配置されるくびれ部を含み、該くびれ部は、伸長したグロメットの内端部の所定の直径の約６０％の外側の直径を有する請求項９に記載のアセンブリ。
【請求項１１】
伸長したグロメットは一体構造の部品であって、第１の切頭円錐体と第２の切頭円錐体とを備えている請求項８に記載のアセンブリ。
【請求項１２】
第１の切頭円錐体は、内端部を定義する基部を有し、第２の切頭円錐体は外端部を定義する基部を有することを特徴とする請求項８に記載のアセンブリ。
【請求項１３】
フィルタ室と、フィルタ室に流体を受け入れるようにされている流入開口部と、フィルタ室から流体を排出するようにされている第１の流出開口部とを含むように形成されるフィルタハウジングと、
フィルタ室に配置され、フィルタエレメントを通って流体を受け取るように、また、流体がろ液部から第１の流出開口部を通ってその先のフィルタハウジングの外に流れるように第１の流出開口部と通じるように配置されるろ液部を含むように形成されるフィルタエレメントと、
内端部と、外端部と、内端部に形成される開口部から外端部に形成される開口部へ伸びる通路を有し、フィルタエレメントのろ液部内に形成される開口部を内端部に形成される開口部と連通させるように、また、フィルタハウジングに形成される第２の流出開口部を外端部に形成される開口部と連通させるように方向付けられる伸長したグロメットとを備え、
流出導管は、フィルタハウジングに形成される第２の流出開口部と、伸長したグロメットの外端部と内端部とフィルタエレメントに形成される開口部と、伸長したグロメットに形成される通路とを通り、流体がフィルタエレメントのろ液部からその先のフィルタハウジングの外に導出するように通路を含むように形成され、
伸長したグロメットは、流入開口部からフィルタ室に受け入れられたろ過していない流体がフィルタエレメントに形成される開口部を通ってフィルタエレメントのろ液部に流れるのを防止するためにフィルタエレメントとフィルタハウジングが封止結合するように配置される、
流体フィルタアセンブリ。
【請求項１４】
フィルタエレメントは、
ろ液部とフィルタ媒体の一端と結合する端部キャップとを含むように形成されるフィルタ媒体と、
ろ液部に開口部を定義するように形成される内隅部を含む端部キャップと、
端部キャップの内隅部と流出導管との間にあるいかなる空間をもふさぐための端部キャップと結合するように位置される内端部を含む伸長したグロメットと、
を含む請求項１３に記載のアセンブリ。
【請求項１５】
伸長したグロメットは一体構造の部品であって、
端部キャップと結合するように配置される大直径基部と小直径上部とを有する第１の切頭円錐体と、フィルタハウジングの内側表面と結合するように位置される大直径基部と、
伸長したグロメットにくびれ部を形成し、砂時計の形状とするように第１の切頭円錐体の小直径上部の後ろに付けられる小直径上部と、を有する第２の切頭円錐体と、
を備えるアセンブリ。
【請求項１６】
伸長したグロメットは一体構造の部品であって、第１の切頭円錐体と第２の切頭円錐体とを含む請求項１３に記載のアセンブリ。
【請求項１７】
伸長したグロメットは、円筒形で所定の長さを有し、内端部は所定の長さとほぼ同様の直径を有する請求項１３に記載のアセンブリ。
【請求項１８】
フィルタ室を含むように形成されるフィルタハウジングと、
フィルタ室に配置されるフィルタエレメントと、
フィルタエレメントに形成されるろ液部からフィルタハウジングに形成される開口部を通って先のフィルタハウジングの外に流体を導出する手段であって、フィルタ室に位置され、フィルタエレメントと封止結合するように配置される内端部と、フィルタハウジングと封止結合するように配置される外端部とを有する伸長したグロメットを含む導出手段と、
を備える流体フィルタアセンブリ。
【請求項１９】
伸長したグロメットが、それを通って通路を含むように形成され、
導出手段はさらに、通路を通るように配置される流出導管を含み、その流出導管は、ろ液部に位置づけられる内端部を含む、
請求項１８に記載のアセンブリ。
【請求項２０】
伸長したグロメットが一体構造の部品であって、内端部を画成する第１の切頭円錐体と、外端部を画成する第２の切頭円錐体とを備える、
請求項１８に記載のアセンブリ。
【発明の詳細な説明】
【技術分野】
【０００１】
本開示は流体フィルタに関し、特に液体燃料用のフィルタに関する。さらに特定すると、本開示は流体フィルタアセンブリからろ過した燃料を外に排出するための封止された流出口を備えた流体フィルタアセンブリに関する。
【背景技術】
【０００２】
流体フィルタは、不要な固体あるいはその他の汚染物質を流体から取り除くために、流体移送装置を含む車両およびその他の装置に搭載して用いられる。オイルフィルタや燃料フィルタは、車両エンジンで用いられる油や燃料を洗浄するのに備えられる。フィルタシールは、流体フィルタから油や燃料等が不用意に漏れるのを最小限にするために用いられる。
【発明の開示】
【課題を解決するための手段】
【０００３】
本開示によると、流体フィルタアセンブリは、フィルタハウジング、フィルタエレメント、およびフィルタエレメント内に形成されたろ液部から排出先であるフィルタハウジングの外に液体燃料を排出する流体排出装置を含む。流体排出装置は、ろ液部からフィルタハウジング内に形成された開口まで伸びる流出導管と、フィルタエレメントに供給するために、液体燃料をフィルタハウジングに流す流入導管とを備える。
【０００４】
流体排出装置はさらに伸長したグロメットを含み、それは流出導管の周りに伸びて装着され、フィルタエレメントとフィルタハウジングに封着される。グロメットはフィルタハウジング内に配置され、流入導管を通ってフィルタハウジング内に排出された無ろ過の液体燃料が、フィルタエレメントのろ液部でろ過された燃料と混ざるのを防ぐ。
【発明の効果】
【０００５】
例示する実施例では、伸長したグロメットの内縁は、ろ液部から流体がフィルタハウジングの他の空間に不必要に漏れるのを防ぐために、フィルタエレメントと流出導管との隙間を封止して封着するように配置される。伸長したグロメットの外縁は、フィルタハウジングと結合して配置される。一実施例では、伸長したグロメットは中心部分がくびれていて、砂時計の形をしている。その他の実施例では、伸長したグロメットは円筒状である。一実施例では、伸長したグロメットの長さは、伸長したグロメットの内縁の直径とほぼ同じ長さである。例示する実施例では、流体フィルタアセンブリは、燃料タンクからエンジンに運ばれる燃料をろ過するように構成され、また流出導管は、ろ液の一部を燃料タンクに戻すことが可能である。
【０００６】
本開示の更なる特徴は、現在理解されている本開示の最良の形態を例示する実施例の下記の詳細な説明を考慮することで当業者には明らかになるだろう。
【発明を実施するための最良の形態】
【０００７】
伸長したグロメット１０は、例えば図１〜６に図示するように、ろ過されていない流体と、既にろ過された流体とが流体フィルタアセンブリ１２で不用意に混ざるのを防ぐために、アセンブリ内で流体の流れを管理するように流体フィルタアセンブリ１２用に備えられる。図９〜１２には別の伸長したグロメット１１０が例示され、また図１３に別の伸長したグロメット２１０が例示される。これらのグロメットは、流体フィルタアセンブリ１２に装着するその１つ以上の構成要素が正しく配列されない位置にあったとしても、隣接するフィルタアセンブリの構成要素との封止関係を維持するように構成される。
【０００８】
例示する実施例の流体フィルタアセンブリ１２は、燃料がエンジン１８に供給される前に、燃料ポンプ１６によって燃料タンク１４から排出された液体燃料をろ過するのに使用される。流体フィルタアセンブリ１２は、フィルタハウジング２４内に形成されたフィルタ室２２内に位置づけられるフィルタエレメント２０と、燃料タンク１４から燃料を受け取るようになっている流入導管２６と、フィルタエレメント２０でろ過された燃料をエンジン１８に排出するようにされている第１の流出導管２８と、フィルタエレメント２０でろ過された燃料の一部を燃料タンク１４に排出するようにされている第２の流出導管３０とを含む。各導管２６，２８および３０は、例えば図２に示すように、フィルタハウジング２４に形成されたフィルタ室２２に通じるようにフィルタハウジング２４に結合される。
【０００９】
図１、図２および図５に示すようにグロメット１０は、その中に第２の流出導管３０の中心部３３が収容できるサイズとなる通路３２を含むように形成される。例示する実施例では、グロメット１０と中心部３３との間で液密封止が確立されているが、そこで液密封止を確立することなく、グロメット１０を”緩い”状態で中央部３３にはめることは、本開示の範囲である。グロメット１０は、例えばＶＩＴＯＮ（Ｖ２１７４）材料のような一体構造の材料で作られている。
【００１０】
一実施例では、グロメット１０は、例えば図１、図３および図５に示す端と端を接した関係で配置される第１と第２の切頭円錐体３４と３６から成り、砂時計の形で設けられる。第１の切頭円錐体３４は、直径４０の大直径基部３８と、小直径上部４２を有する。第２の切頭円錐体３６は、直径４０とほぼ同様の直径４６の大直径基部４４と、第１の切頭円錐体３４の小直径上部の後ろに付けられる小直径上部４８を有し、グロメット１０のくびれ部４９を形成する。図に示した実施例では、大直径基部３８の直径４０および大直径基部４４の直径４６は、グロメット１０の長さ１１とほぼ同様である。小直径上部４２および４８はそれぞれ大直径基部３８の直径４０の約６０％の直径４７を有する。通路３２は、内部に大直径基部３８の直径４０の約１／２のとされる直径４７を有する。
【００１１】
フィルタエレメント２０は、例えば図２および図３に示すように、内側部５２および外側部５４が設けられているフィルタ媒体５０と、該フィルタ媒体５０の端部５８と結合している端部キャップ５６と含む。内側部５２は、フィルタエレメント２０内に配置されたろ液部６０を規定するように構成され、外側部５４から内側部５２へフィルタ媒体５０を通過したフィルタエレメント２０内の流体を受け取る。あらゆる好適なフィルタ媒体を使用することは、本開示の範囲である。図２に示すように、端部キャップ５６は、導管受入開口部６２を規定するように形成された内隅部６１を含み、そこに第２の流出導管３０を受け入れるように配置して、該第２の流出導管３０の流入口６４をろ液部６０内に配置する。端部キャップ５６は、例えば図３に示すように内盤６５、環状内壁６６、外盤６７および環状外壁６８を含む。プラスチゾル（PLASTISOL）接着剤６９またはその他の好適な素材は、端部キャップ５６に封着した状態のフィルタ媒体５０の端部５８を接着するのに用いられる。
【００１２】
フィルタハウジング２４は、例えば図２〜図４に示すように、カップ７０、エンドプレート７２、および内部導管支持帽７４を含む。カップ７０は、例えば図２に示すように、その間に環状空間７６と規定されるフィルタエレメント２０を囲むように配置される側壁７５と、流入導管２６および第２の流出導管と結合する上壁７７とを含む。端部キャップ５６は、空間７３と規定されるように上壁７７と空間を空けるように配置され、グロメット１０と内部導管支持帽７４を収容する。内部導管支持帽７４は、例えば図２から図４に示すように、第２の流出導管３０の中央部３３を受け入れて結合するようにされている広がりのあるスリーブ７８と、広がりのあるスリーブ７８に接続し、ハウジングカップ７９の上壁７７に結合する環状基部７９とを含む。
【００１３】
フィルタ媒体５０の基端部５９は、例えば、図２および図３に示すように、フィルタエレメント２０をエンドプレート７２にしっかりと封着した状態にするように、プラスチゾル材６９あるいは好適な素材を用いてエンドプレート７２に接着される。エンドプレート７２は、図２および３で例示されるように、ハウジングカップ７０の側壁７５と接合され、フィルタエレメント２０をフィルタハウジング２４に形成されたフィルタ室２２にしっかりと固定される。例示する実施例では、エンドプレート７２および第１の流出導管２８は、ハウジングカップ７０と一体的な基部を形成するように結合される。
【００１４】
流入導管２６は、例えば図２から図４に示すように、ワッシャー８１を保持できるサイズの内縁８０を有し、開口８２まで伸張して、ハウジングカップ７０の上壁７７に形成される。同様に、第２の流出導管３０はワッシャー８３を保持できるサイズで、開口８４まで伸張して、ハウジングカップ７０の上壁７７に形成される。導管は、例えば図２および図４に示すように、ハウジングカップ７０の所定の位置に装着されるように、各導管はそれぞれワッシャーに蝋付けされ、各ワッシャーはそれぞれ上壁７７に蝋付けされる。また、内部導管支持帽７４も上壁７７の内側表面に蝋付けされる。
【００１５】
グロメット１０と第２の流出導管３０は、フィルタエレメント２０のろ液部６０からフィルタハウジング２４内に形成された開口８４を通って燃料タンク１４に燃料を供給する手段を提供するように結合される。グロメット１０は、フィルタエレメント２０とフィルタハウジング２４との間の空間７３のフィルタ室内に配置される。グロメット１０は、流入導管２６から空間７３に排出された無ろ過燃料が、グロメット１０の周りの空間７３の部分からフィルタエレメント２０に形成された開口６２を通ってフィルタエレメント２０のろ液部６０に、不用意に燃料漏れが生じないように、フィルタエレメント２０とフィルタハウジング２４とが封止結合するように第２の流出導管３０の中央部３３に装着される。例示する実施例では、例えば図２に示すように、グロメット１０の内縁３８は、フィルタエレメント２０の端部キャップ５６の内盤６５と封止結合して、グロメット１０の外縁４４は、フィルタハウジング２４の上壁７７の内側表面と封止結合する。グロメット１０の内縁３８は、端部キャップ５６の内隅部６１と第２の流出導管３０の中央部３３との間に存在するいかなる隙間をもふさぐように端部キャップ５６と結合する。グロメット１０の外縁４４は、内部導管支持帽７４と封止結合する。
【００１６】
グロメット１０は、フィルタハウジング２４に対して流体フィルタアセンブリ１２の特定の要素が垂直に位置していない場合、第１の切頭円錐体３４と第２の切頭円錐体３６とが互いに動作できるように、柔軟な封止剤でできている。例えば図７に示すように、フィルタエレメント２０がフィルタハウジング２４内で垂直でない場合（例えば、外盤６７と定義される平面８６が、立面８８に対して角度８７に傾くことによって、軸８５が傾く）に、グロメット１０は、端部キャップ５６とフィルタハウジング２４との封止結合を維持するために変形する。また、例えば図８に示すように、第2の流出導管３０がフィルタハウジング２４に対して垂直でない場合に、グロメット１０は端部キャップ５６とフィルタハウジング２４との封止結合を維持するために変形する（例えば、軸８５に対して角度８９に傾く）。本実施例における図１から図８に示すようにグロメット１０は、二つの結合した切頭円錐体３４、３６を備えるが、くびれ部４９が維持されている限り切頭円錐体が変形できるのは本開示の範囲である。
【００１７】
次に図９から図１２について説明するように、グロメット１１０は、グロメット１０ではなく、第２の流出導管３０の中央部３３に装着される。グロメット１１０は、グロメット１０と同様の素材でできていて、通路１３２と、内縁１３８と、外縁１４４および円筒状側壁１４５を含むように形成される。図１３に示すように、グロメット２１０は、第2の流出導管３０の中央部３３に緩装着され、グロメット２１０と中央部３３は、液密封止は確立されない。しかし、図９から図１２、および図１３に示す各実施形態では、グロメット１１０および２１０は、フィルタエレメント２０と封止結合するように配置された内端部と、フィルタハウジング２４と封止結合するように配置された外端部とを有し、フィルタ室２２の無ろ過流体がフィルタエレメント２０のろ液部６０に漏れてフィルタエレメント２０を迂回しないように互いに密着を確立する。
【図面の簡単な説明】
【００１８】
【図１】図１は、本開示に基づく流体フィルタアセンブリで使用されるように構成された伸長したグロメットの第一の実施例の斜視図である。
【図２】図２は、流体フィルタアセンブリを有する液体燃料運搬装置の図であって、フィルタハウジングと、フィルタエレメントと、燃料をフィルタエレメント内のろ液部からエンジンへ導出する第１の流出導管と、燃料をフィルタエレメント内のろ液部から燃料タンクへ導出する第２の流出導管と、を備え、図１の伸長したグロメットが第２の流出導管の中央部を保持してフィルタエレメントとフィルタハウジングとの封止を確立するのを示す図である。
【図３】図３は、図２の流体フィルタアセンブリを形成するように協働する部品の分解斜視組立図である。
【図４】図４は、図３と同様の斜視図であり、フィルタエレメントがフィルタ室に挿入される前に、伸長したグロメットが第２の流出導管に装着されて、フィルタハウジングに形成されたフィルタ室に配置されているのを示す図である。
【図５】図５は、図１の線５−５に沿った伸長したグロメットの断面図であり、伸長したグロメットはそこから延びる中央通路を示す。
【図６】図６は、図１の伸長したグロメットの底面図である。
【図７】図７は、図２の流体フィルタアセンブリの部分図であり、フィルタハウジング内に形成されたフィルタ室のフィルタエレメントが適切に配列されていないものの、フィルタエレメントとフィルタハウジングとの間に伸長したグロメットによって確立された液密性が損なわれていない状態を示す図である。
【図８】図８は、図７と同様の図であり、フィルタハウジング内に形成された流出開口部の第２の流出導管が適切に配列されていないものの、フィルタエレメントとフィルタハウジングとの間の伸長したグロメットによって確立された液密性が損なわれていない状態を示す図である。
【図９】図９は、本会時に基づく流体フィルタアセンブリで使用されるように構成された伸長したグロメットの第２の実施例の斜視図である。
【図１０】図１０は、伸長したグロメットの図９の線１０−１０に沿った断面図である。
【図１１】図１１は、図９の伸長したグロメットの底面図である。
【図１２】図１２は、図２と同様の図であり、図９の伸長したグロメットが流体フィルタアセンブリ内に設けられているのを示す図である。
【図１３】図１３は、本開示に基づく流体フィルタアセンブリで使用されるように構成された伸長したグロメットの第３の実施例である図１２の一部と同様の断面図である。
【符号の説明】
【００１９】
１０  グロメット
２０  フィルタエレメント
２４  フィルタハウジング
２６  流入導管
３０  流出導管
【図１】
2005518923.tif 000003
【図２】
2005518923.tif 000004
【図３】
2005518923.tif 000005
【図４】
2005518923.tif 000006
【図５】
2005518923.tif 000007
【図６】
2005518923.tif 000008
【図７】
2005518923.tif 000009
【図８】
2005518923.tif 000010
【図９】
2005518923.tif 000011
【図１０】
2005518923.tif 000012
【図１１】
2005518923.tif 000013
【図１２】
2005518923.tif 000014
【図１３】
2005518923.tif 000015
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
フィルタ室を含むように形成されるフィルタハウジングと、
フィルタ室に配置されるフィルタエレメントであって、ハウジングに接合される流入導管を通ってフィルタ室に受け入れられた流体と接触するようにフィルタ室に位置づけられる外側部と、フィルタエレメントの外側から内側に通ってきた流体をフィルタエレメントに受け入れるフィルタエレメントに配置されるろ液部を画成する内側部を含むように形成されるフィルタエレメントと、
流入口端部とその反対の流出端部とを有し、流入端部がろ液部に位置するように、また流出端部がフィルタハウジングの外に位置するようにフィルタハウジングに形成される開口部を通じて延長するように配置される流出導管と、
流出導管の中央部分から成る通路を含むように形成される伸長したグロメットであって、伸長したグロメットの内端部がフィルタエレメントと封止結合して、伸長したグロメットの外端部がフィルタハウジングの内側表面と封止結合するようにフィルタエレメントとフィルタハウジングとの空間であるフィルタ室に配置される伸長したグロメットとを備え、
前記フィルタエレメントは、内側および外側部分を画成するフィルタ媒体と、フィルタ媒体の一方に接続する端部キャップとを有し、該端部キャップは、フィルタエレメントのろ液部に開口部が設けられた導管受入開口部を画成するように形成された内隅部を有し、流出導管は、フィルタエレメントのろ液部に流出導管の流入口を配置するように端部キャップに形成される導管受入開口部を通り、伸長したグロメットの内端部は、端部キャップの内隅部と流出導管との間に存在するいかなる隙間をもふさぐように端部キャップと結合しており、
前記フィルタハウジングは、フィルタ室に位置づけられて、導管受入開口部を含むように形成されてそこから流出導管が伸長する内部導管支持帽を有し、内部導管支持帽は、伸長したグロメットの外端部に形成された開口部を通って通路の中に延長している、
流体フィルタアセンブリ。
【請求項２】
内部導管支持帽が、前記外端部を変形させるべく、伸長したグロメットの外端部と結合するように配置された、拡開されたスリーブを含んでいる、請求項１に記載のアセンブリ。
【請求項３】
端部キャップは軸方向に向いている面を含み、伸長したグロメットの内端部の軸方向に向いている端面は、端部キャップの軸方向に向いている面と結合する請求項１に記載のアセンブリ。
【請求項４】
フィルタ室を含むように形成されるフィルタハウジングと、
フィルタ室に配置されるフィルタエレメントであって、フィルタ室内に位置してハウジングに接合する流入導管を通ってフィルタ室に受け入れられた流体と接触する外側部分を含み、フィルタエレメントの外側部分から内側部分を通ってきた流体をその内部に受け入れるべく、フィルタエレメントに配置されるろ液部を画成する内側部分を含むように形成されるフィルタエレメントと、
ハウジングに接合され、フィルタエレメントのろ液部からフィルタハウジングの外の第１の流出先に流体を導出する第１の流出導管と、
流入口端部とその反対の流出端部とを有し、流入端部がろ液部に位置するように、また流出端部がフィルタハウジングの外に位置するようにフィルタハウジングに形成される開口部に広がるように配置される第２の流出導管と、
流出導管の中央部分から成る通路を含むように形成された伸長したグロメットであって、伸長したグロメットの内端部がフィルタエレメントと封止結合して、伸長したグロメットの外端部がフィルタハウジングの内側表面と封止結合するようにフィルタエレメントとフィルタハウジングとの空間であるフィルタ室に配置される伸長したグロメットとを備え、
フィルタエレメントは、内側および外側部分を画成するフィルタ媒体と、フィルタ媒体の一方に接続する端部キャップとを有し、該端部キャップは、フィルタエレメントのろ液部に開口部が設けられた導管受入開口部を画成するように形成された内隅部を有し、第２の流出導管はフィルタエレメントのろ液部に第２の流出導管の流入口を配置するように端部キャップに形成される導管受入開口部を通り、伸長したグロメットの内端部は端部キャップの内隅部と第２の流出導管との間に存在するいかなる隙間をもふさぐように端部キャップと結合し、伸長したグロメットは一体構造の部品で、端部キャップと接合するように配置される大直径基部を有する第１の切頭円錐体と、フィルタハウジングの内側表面と接合するように配置される大直径基部と、伸長したグロメットにくびれ部を形成するように第１の切頭円錐体の小直径上部の後ろに付けられる小直径上部とを有する第２の接頭円錐体とを備え、伸長したグロメットを砂時計の形状としている
流体フィルタアセンブリ。
【請求項５】
伸長したグロメットは所定の長さを有し、各大直径基部の直径は伸長したグロメットの大直径基部の直径の約６０％である請求項４に記載のアセンブリ。
【請求項６】
第１および第２の切頭円錐体のそれぞれの小直径上部が、第１の切頭円錐体の大直径基部の直径の約６０％の直径を有する請求項４に記載のアセンブリ。
【請求項７】
伸長したグロメットに形成された通路の内部の直径が第１の切頭円錐体の大直径基部の約半分である請求項４に記載のアセンブリ。
【請求項８】
フィルタ室を含むように形成されるフィルタハウジングと、
フィルタ室に配置されるフィルタエレメントであって、ハウジングと接合する流入導管を通ってフィルタ室に受け入れられた流体と接触するようにフィルタ室に配置される外側部分を含み、外側部分から内側部分へフィルタエレメントを通った流体を受け入れるようにフィルタエレメントに配置されるろ液部を画成する内側部分を含むように形成されるフィルタエレメントと、
ハウジングと接合され、フィルタエレメントのろ液部から最初の行き先であるフィルタハウジングの外側に流体を導出するように配置される第１の流出導管と、
流入口端部とその反対の流出端部とを有し、ろ液部に流入端部が配置されまた流出端部がフィルタハウジングの外に配置するように、フィルタハウジングに形成される開口部を通って伸びる第２の流出導管と、
第２の流出導管の中央部分を包含する通路を含むように形成される伸長したグロメットであって、伸長したグロメットの内端部がフィルタエレメントと封止結合して、伸長したグロメットの内端部がフィルタフィルタエレメントと封止結合するように、また伸長したグロメットの外端部がフィルタハウジングの内側表面と封止結合するように、フィルタエレメントとフィルタハウジングとの空間であるフィルタ室に配置される伸長したグロメットとを備え、
フィルタエレメントは、内側部分と外側部分とを画成するフィルタ媒体と、フィルタ媒体の一端と結合する端部キャップとを含み、
端部キャップはフィルタエレメントのろ液部に開口部を設けて導管受入開口部を画成するように形成された内隅部を含み、
第２の流出導管は、フィルタエレメントのろ液部にその流入端部を配置するように端部キャップに形成される導管受入開口部を通っており、
伸長したグロメットの内端部は、端部キャップの内隅部と第２の流出導管との間に存在するいかなる空間をも占めるために端部キャップと接合し、
前記伸長したグロメットは円筒形を呈し、
フィルタハウジングは、フィルタ室に配置され、第２の流出導管が伸びてくる第２の導管受入開口部を含むように形成される内部導管支持帽を含み、
内部導管支持帽は、伸長したグロメットの対岸部に形成される開口部を通って通路に伸びる
流体フィルタアセンブリ。
【請求項９】
フィルタ室を含むように形成されるフィルタハウジングと、
フィルタ室に配置されるフィルタエレメントであって、フィルタハウジングと結合している流入導管を通ってフィルタ室に受け入れられる流体と接するようにフィルタ室に配置される外側部分を含み、外側部分から内側部分へフィルタエレメントを通ったフィルタエレメントの流体を受け取るようにフィルタエレメントのろ液部を画成する内側部分を含むように形成されるフィルタエレメントと、
ハウジングと接合され、フィルタエレメントのろ液部から最初の行き先であるフィルタハウジングの外側に流体を導出する第１の流出導管と、
流入端部と反対側の流出端部とを有し、ろ液部に流入端部を配置し、フィルタハウジングの外に流出端部を配置するようにフィルタハウジングに形成される開口部を通って伸びるように位置する第２の流出導管と、
第２の流出導管の中央部分を包含する通路を含むように形成され、伸長したグロメットの内端部とフィルタエレメントとを封止接合させて、また伸長したグロメットとフィルタハウジングの内側表面とを封止接合させるようにフィルタエレメントとフィルタハウジングとの空間であるフィルタ室に形成される伸長したグロメットとを備え、
フィルタハウジングは、カップと内部導管支持帽を含み、カップはフィルタエレメントを囲むように配置される側壁と、流入導管と接合する上壁とを含み、導管受入開口部を含むように形成され、内部導管支持帽は、上壁と伸長したグロメットの間のフィルタ室に配置され、導管受入開口部を含むように形成され、また第２の流出導管は、上壁と内部導管支持帽に形成される導管受入開口部を通ってフィルタエレメントのろ液部に直列に伸びるように配置される、
流体フィルタアセンブリ。
【請求項１０】
フィルタエレメントが、内側部分と外側部分とを画成するフィルタ媒体と、フィルタ媒体の一方と結合する端部キャップとを備え、端部キャップはフィルタエレメントのろ液部へ開口部を設けた導管受入開口部を含むように形成された内隅部を含み、第２の流出導管はフィルタエレメントのろ液部の中に第２の流出導管の流入口を配置するように端部キャップに形成された導管受入開口部をも通り、伸張されたグロメットの内端部は端部キャップの内隅部と第２の流出導管との間に存在するいかなる隙間をもふさぐように端部キャップと結合する、
請求項９に記載のアセンブリ。
【請求項１１】
伸長したグロメットの内端部は所定の直径を有し、伸長したグロメットはさらに内端部と外端部との間に配置されたくびれ部を含み、くびれ部が伸長したグロメットの内端部の所定の直径の約６０％の外側の直径を有する請求項１０に記載のアセンブリ。
【請求項１２】
伸長したグロメットは一体構造の部品で、第１の切頭円錐体と第２の切頭円錐体とを備える請求項９に記載のアセンブリ。
【請求項１３】
第１の切頭円錐体が内端部を画成する基部を有し、第２の切頭円錐体が外端部を画成する基部を有する請求項９に記載のアセンブリ。
【請求項１４】
フィルタ室と、フィルタ室に流体を受け入れるのに適している流入開口部と、フィルタ室から流体を排出するのに適している流出開口部と、を含むように形成されるフィルタハウジングと、
フィルタ室に配置され、フィルタエレメントを通った流体を受け入れるように配置されるろ液部を含むように形成されるフィルタエレメントと、
内端部、外端部および内端部に形成される開口部から外端部に形成される開口部へと伸びる通路を有し、フィルタエレメントに形成される開口部と通じるように内端部に形成される開口部を、フィルタハウジングに形成される流出開口部と外端部に形成される開口部とを配置するような向きにする伸長したグロメットと、
フィルタハウジングに形成される流出開口と、伸長したグロメットの内端部と外端部とに形成される開口部と、伸長したグロメットに形成される通路とを通る流出導管であって、フィルタエレメントのろ液部から先のフィルタハウジングの外に流体を導出する通路を含むように形成される流出導管とを備え、
伸長したグロメットが、流入開口部を通ってフィルタ室に受け入れられたろ過されていない流体が、フィルタエレメントに形成される開口部を通ってフィルタエレメントのろ液部に流れるのを防ぐためにフィルタエレメントとフィルタハウジングとを封止結合するように配置され、
フィルタハウジングは、フィルタ室に配置され、流出導管が伸びる導管受入開口部を含むように形成される内部導管支持帽を含み、また内部導管支持帽は、伸長したグロメットの外端部に形成される開口部を通って伸長したグロメットに形成される通路に向かって伸びる、
流体フィルタアセンブリ。
【請求項１５】
フィルタエレメントは、ろ液部を含むように形成されたフィルタ媒体とフィルタ媒体の一方と結合した端部キャップとを含み、端部キャップはろ液部への開口部を画成するように形成される内隅部を含み、前記グロメットの内端部は、前記端部キャップの内隅部と前記流出導管との間にあるいかなる隙間も閉塞するように前記端部キャップと係合すべく配置される、
請求項１４に記載のアセンブリ。
【請求項１６】
伸長したグロメットが一体構造の部品であって、第１の切頭円錐体と第２の切頭円錐体とを備える請求項１４に記載のアセンブリ。
【請求項１７】
伸長したグロメットは円筒形で、所定の長さを有し、内端部はその所定の長さとほぼ同様の直径を有する請求項１４に記載のアセンブリ。
【請求項１８】
フィルタ室と、フィルタ室に流体を受け入れるのに適している流入開口部と、フィルタ室から流体を排出するのに適している第１の流出開口部とを含むように形成されるフィルタハウジングと、
フィルタ室に位置づけられたフィルタエレメントであって、フィルタエレメントを通った流体を受け入れるように配置されたろ液部を含むように形成され、ろ液部から第１の流出開口部を通ってフィルタハウジングの外の第１の流出先に流体を流すように第１の流出開口部と連通しているフィルタエレメントと、
内端部と、外端部と、内端部に形成される開口部から外端部に形成される開口部まで伸びている通路とを有する伸長したグロメットであって、伸長グロメットは、内端部に形成される開口部をフィルタエレメントに形成される開口部と通じて配置するようにろ液部に方向付けられ、また、外端部に形成される開口部を、フィルタハウジングに形成される第２の流出開口部と通じて配置するように方向付けられる伸長したグロメットと、
フィルタハウジングに形成される第２の流出開口部と、伸長したグロメットの内端部と外端部とフィルタエレメントに形成される開口部と、伸長したグロメットに形成される通路を通り、フィルタエレメントのろ液部からフィルタハウジングの外の第２の流出先へ流体を導出するために通路を含むようにして形成される流出導管とを備え、
伸長したグロメットは、流入開口部を通ってフィルタ室に受け入れられた無ろ過の流体が、フィルタエレメントに形成された開口部を通ってフィルタエレメントのろ液部に流れるのを防ぐために、フィルタエレメントとフィルタハウジングが封止結合するように配置され、
伸長したグロメットは、端部キャップと結合するように位置づけられる大直径基部と小直径上部とを有する第１の切頭円錐体と、フィルタハウジングの内側表面と結合するように位置づけられる大直径基部と第１の切頭円錐体の小直径上部とに付ける小直径上部とを有する第２の切頭円錐体とを備える一体構造の部品であり、伸長したグロメットにくびれ部を形成し、砂時計の形状としている。
【請求項１９】
フィルタ室を含むように形成されるフィルタハウジングと、
フィルタ室に位置づけられたフィルタエレメントと、
フィルタエレメントに形成されるろ液部からフィルタハウジングに形成される開口部を通って導出先であるフィルタハウジングの外に流体を導出する手段であって、フィルタ室に配置されて、フィルタエレメントと封止結合するように配置される内端部と、フィルタハウジングと封止結合するように配置される外端部とを有する伸長したグロメットを含む導出手段と、を備え、
前記導出手段は、ろ液部からフィルタエレメントに形成された開口部を通って伸長する流出導管と、伸長したグロメットに形成される通路と、フィルタハウジングにフィルタハウジングの外へ向けて形成される開口部とを含み、フィルタハウジングは、フィルタ室に配置され流出導管がそれを通って伸長する開口部を含むように形成された内部導管支持帽を含み、内部導管支持帽は伸長したグロメットに形成された通路に伸びる
流体フィルタアセンブリ。
【請求項２０】
伸長したグロメットは、通路を含むように形成され、前記導出手段はさらに、その通路を通過するように配置される流出導管を有し、前記流出導管は、ろ液部に配置される内端部を含む請求項１９に記載のアセンブリ。
【請求項２１】
伸長したグロメットが、一体構造の部品であって、内端部を画成する第１の切頭円錐体と、外端部を画成する第２の切頭円錐体と、を備える請求項１９に記載のアセンブリ。
【請求項２２】
内部導管支持帽が、伸長したグロメットに形成された通路の内側に軸方向に伸びるとともに、内側方向に放射状に先細りする請求項１９に記載のアセンブリ。
【国際調査報告】
2005518923.tif 000016